(57)【要約】【課題】冷却部の異常を早期に検出することが可能な監視装置及び監視システムを提供すること。【解決手段】ポンプモータ２１１を用いて変圧器本体１０に封入された絶縁油を循環する送油ポンプ２１と、ファンモータ２２２を用いて循環する絶縁油を冷却する冷却ファン２２と、を備える冷却部２０を監視する監視装置３０であって、ポンプモータ２１１の負荷電流の電流値を取得するポンプモータ電流値取得部３１と、ファンモータ２２２の負荷電流の電流値を取得するファンモータ電流値取得部３３と、取得した電流値のそれぞれが所定の電流しきい値以上か否かを比較して、ポンプモータ２１１及びファンモータ２２２の少なくとも一方の異常を検出する異常検出部３６と、を備える。【選択図】図１
2019054057.tif 000002
【特許請求の範囲】
【請求項１】
ポンプモータを用いて変圧器本体に封入された絶縁油を循環する送油ポンプと、ファンモータを用いて循環する絶縁油を冷却する冷却ファンと、を備える冷却部を監視する監視装置であって、
前記ポンプモータの負荷電流の電流値を取得するポンプモータ電流値取得部と、
前記ファンモータの負荷電流の電流値を取得するファンモータ電流値取得部と、
取得した電流値のそれぞれが所定の電流しきい値以上か否かを比較して、ポンプモータ及びファンモータの少なくとも一方の異常を検出する異常検出部と、
を備える監視装置。
【請求項２】
前記異常検出部は、
前記ポンプモータの負荷電流と所定の電流しきい値とを比較して、前記ポンプモータの状態を判定するポンプモータ状態判定部と、
前記ファンモータの負荷電流と所定の電流しきい値とを比較して、前記ファンモータの状態を判定するファンモータ状態判定部と、
を備える請求項１に記載の監視装置。
【請求項３】
前記ポンプモータ状態判定部は、前記ポンプモータの状態を異常有りと判定した場合に、前記ポンプモータの異常を示す信号を出力し、
前記ファンモータ状態判定部は、前記ファンモータの状態を異常有りと判定した場合に、前記ファンモータの異常を示す信号を出力する請求項２に記載の監視装置。
【請求項４】
外気の温度を取得する外気温度取得部を更に備え、
前記異常検出部は、外気温度に基づいて所定の電流しきい値を補正するしきい値補正部を更に備える請求項２又は３に記載の監視装置。
【請求項５】
前記ポンプモータの温度を取得するポンプモータ温度取得部と、
前記ファンモータの温度を取得するファンモータ温度取得部と、
を更に備え、
前記異常検出部は、取得した温度のそれぞれが所定の温度しきい値以上か否かを比較して、ポンプモータ及びファンモータの少なくとも一方の異常を検出する請求項１〜４のいずれかに記載の監視装置。
【請求項６】
前記異常検出部は、
前記ポンプモータの温度と所定の温度しきい値とを比較して前記ポンプモータの状態を判定するポンプモータ状態判定部と、
前記ファンモータの温度と所定の温度しきい値とを比較して前記ファンモータの状態を判定するファンモータ状態判定部と、
を備える請求項５に記載の監視装置。
【請求項７】
外気の温度を取得する外気温度取得部を更に備え、
前記異常検出部は、外気温度に基づいて所定の温度しきい値を補正するしきい値補正部を更に備える請求項６に記載の監視装置。
【請求項８】
請求項１〜７のいずれかに記載の監視装置と、前記監視装置から出力された異常を示す信号に基づいて前記ポンプモータ又は前記ファンモータの異常を報知する監視制御装置と、を備える監視システム。
【発明の詳細な説明】
【技術分野】
【０００１】
本発明は、監視装置及び監視システムに関する。
【背景技術】
【０００２】
従来より、変圧器本体と熱交換する絶縁油を循環させる送油ポンプと、循環する絶縁油を冷却する冷却ファンと、を含む冷却部を備える変圧装置が知られている。このような変圧装置として、例えば、移動用変圧装置が知られている。
【０００３】
一般に、絶縁油は、温度が上昇すると絶縁性が低下する性質を有する。そこで、絶縁油の温度を適正な温度範囲に冷却する冷却制御装置が提案されている（例えば、特許文献１参照）。
【先行技術文献】
【特許文献】
【０００４】
【特許文献１】特開２００９−２９０１０９号公報
【発明の概要】
【発明が解決しようとする課題】
【０００５】
特許文献１に開示された冷却制御装置では、絶縁油の温度が適正温度以上となった場合に、送油ポンプ及び冷却ファンをオンにしている。一方、絶縁油の温度が適正温度以下となった場合に、送油ポンプ及び冷却ファンをオフにしている。これにより、絶縁油の温度を所定の温度以下に保つことができる。
【０００６】
ところで、送油モータ及び冷却ファンには、モータ（ポンプモータ及びファンモータ）が用いられている。モータの軸受部の不具合（ベアリング摩耗等）が発生した場合、軸受部の機械的抵抗が増加する。これにより、モータの電流値も増加する。そこで、モータの過電流を直接検出することで、モータの軸受部の不具合を検出している。
【０００７】
モータの過電流が検出された場合、軸受部には重大な異常が見込まれる。そこで、モータの焼損を抑制すべく、電源用スイッチが遮断される。電源用スイッチが遮断されると、変圧器本体を冷却することができなくなるため、変圧器本体の停電を伴う。そこで、変圧器本体の停電を伴わずとも対策を講じることができるように、冷却部の異常を早期に検出できることが好ましい。
【０００８】
本発明は、冷却部の異常を早期に検出することが可能な監視装置及び監視システムを提供することを目的とする。
【課題を解決するための手段】
【０００９】
本発明は、ポンプモータを用いて変圧器本体に封入された絶縁油を循環する送油ポンプと、ファンモータを用いて循環する絶縁油を冷却する冷却ファンと、を備える冷却部を監視する監視装置であって、前記ポンプモータの負荷電流の電流値を取得するポンプモータ電流値取得部と、前記ファンモータの負荷電流の電流値を取得するファンモータ電流値取得部と、取得した電流値のそれぞれが所定の電流しきい値以上か否かを比較して、ポンプモータ及びファンモータの少なくとも一方の異常を検出する異常検出部と、を備える監視装置に関する。
【００１０】
また、前記異常検出部は、前記ポンプモータの負荷電流と所定の電流しきい値とを比較して、前記ポンプモータの状態を判定するポンプモータ状態判定部と、前記ファンモータの負荷電流と所定の電流しきい値とを比較して、前記ファンモータの状態を判定するファンモータ状態判定部と、を備えることが好ましい。
【００１１】
また、前記ポンプモータ状態判定部は、前記ポンプモータの状態を異常有りと判定した場合に、前記ポンプモータの異常を示す信号を出力し、前記ファンモータ状態判定部は、前記ファンモータの状態を異常有りと判定した場合に、前記ファンモータの異常を示す信号を出力することが好ましい。
【００１２】
また、監視装置は、外気の温度を取得する外気温度取得部を更に備え、前記異常検出部は、外気温度に基づいて所定の電流しきい値を補正するしきい値補正部を更に備えることが好ましい。
【００１３】
また、監視装置は、前記ポンプモータの温度を取得するポンプモータ温度取得部と、前記ファンモータの温度を取得するファンモータ温度取得部と、を更に備え、前記異常検出部は、取得した温度のそれぞれが所定の温度しきい値以上か否かを比較して、ポンプモータ及びファンモータの少なくとも一方の異常を検出することが好ましい。
【００１４】
また、前記異常検出部は、前記ポンプモータの温度と所定の温度しきい値とを比較して前記ポンプモータの状態を判定するポンプモータ状態判定部と、前記ファンモータの温度と所定の温度しきい値とを比較して前記ファンモータの状態を判定するファンモータ状態判定部と、を備えることが好ましい。
【００１５】
また、監視装置は、外気の温度を取得する外気温度取得部を更に備え、前記異常検出部は、外気温度に基づいて所定の温度しきい値を補正するしきい値補正部を更に備えることが好ましい。
【００１６】
また、監視システムは、上記いずれかに記載の監視装置と、前記監視装置から出力された異常を示す信号に基づいて前記ポンプモータ又は前記ファンモータの異常を報知する監視制御装置と、を備えることが好ましい。
【発明の効果】
【００１７】
本発明によれば、冷却部の異常を早期に検出することが可能な監視装置及び監視システムを提供することができる。
【図面の簡単な説明】
【００１８】
【図１】本発明の一実施形態に係る監視システムを示す概略図である。
【図２】一実施形態の監視システムの監視装置の異常検出部を示すブロック図である。
【図３】一実施形態の監視システムの動作を示すフローチャートである。
【発明を実施するための形態】
【００１９】
以下、本発明の一実施形態に係る監視装置３０及び監視システム２について、図面を参照して説明する。
まず、監視装置３０及び監視システム２が監視対象とする変圧装置１の構成について説明する。
【００２０】
変圧装置１は、絶縁油を循環させながら変圧する装置である。変圧装置１は、例えば、移動用変圧装置である。変圧装置１は、図１に示すように、変圧器本体１０と、冷却部２０と、を備える。
【００２１】
変圧器本体１０は、絶縁油が封入された変圧器である。変圧器本体１０は、巻線（図示せず）及び鉄心（図示せず）を備え、巻線及び鉄心に大きな電流が流れることで発生する損失熱が絶縁油に伝達される。
【００２２】
冷却部２０は、送油ポンプ２１と、冷却ファン２２と、を備える。冷却部２０は、変圧器本体１０に封入された絶縁油を循環させるとともに、絶縁油を冷却することで、絶縁油の温度が所定値以上に上昇することを抑制する。
【００２３】
送油ポンプ２１は、送油管２３を介して変圧器本体１０に接続される。送油ポンプ２１は、変圧器本体１０に封入された絶縁油を循環する。具体的には、送油ポンプ２１は、送油管２３の内部に絶縁油の流れを形成することで、変圧器本体１０に封入された絶縁油を循環する。送油ポンプ２１には、ポンプモータ２１１が設けられる。
【００２４】
ポンプモータ２１１は、絶縁油を循環さえるための動力を提供する。例えば、ポンプモータ２１１は、軸受（図示せず）を中心に回転することにより、回転力を絶縁油に伝達することで、絶縁油を送油管２３及び変圧器本体１０の内部の間で循環させる。
【００２５】
冷却ファン２２は、絶縁油を冷却する。具体的には、冷却ファン２２は、送油管２３を流れる絶縁油を冷却する。冷却ファン２２は、ファン本体２２１と、ファンモータ２２２と、を備える。
【００２６】
ファン本体２２１は、いわゆる送風ファンであり、軸心周りに回転することで外気を送風する。具体的には、ファン本体２２１は、送油管２３に外気を送風することで、循環する絶縁油を冷却する。
【００２７】
ファンモータ２２２は、ファン本体２２１を軸心周りに回転させるモータである。ファンモータ２２２は、軸受（図示せず）に軸支されたファン本体２２１の軸心を回転することで、ファン本体２２１に回転力を与える。
【００２８】
以上の変圧装置１によれば、変圧器本体１０の変圧によって発生した損失熱が、絶縁油に伝達される。絶縁油は、送油ポンプ２１のポンプモータ２１１の動作により、変圧器本体１０と送油管２３との間を循環する。冷却ファン２２は、ファンモータ２２２の動作によるファン本体２２１の回転により、送油管２３に外気を送風する。送油管２３を通る絶縁油は、ファンモータ２２２により送風された外気との間で熱交換され、冷却されて、変圧器本体１０の内部に戻される。
【００２９】
本実施形態に係る監視システム２及び監視装置３０は、変圧装置１の冷却部２０を監視する装置である。監視システム２は、監視装置３０と、監視制御装置４０と、を備える。
【００３０】
監視装置３０は、図１に示すように、ポンプモータ電流値取得部３１と、ポンプモータ温度取得部３２と、ファンモータ電流値取得部３３と、ファンモータ温度取得部３４と、外気温度取得部３５と、異常検出部３６と、を備える。監視装置３０は、変圧装置１の近傍に設置される。
【００３１】
ポンプモータ電流値取得部３１は、送油ポンプ２１のポンプモータ２１１の負荷電流の電流値を取得する。ポンプモータ電流値取得部３１は、例えば、ポンプモータ２１１の電源のＲ相、Ｓ相、Ｔ相について電流値を取得する。
【００３２】
ポンプモータ温度取得部３２は、送油ポンプ２１のポンプモータ２１１の温度を取得する。ポンプモータ温度取得部３２は、例えば、軸受の摩耗等により発生する摩擦熱について、熱電対ケーブルを用いて、ポンプモータ２１１の表面温度を取得する。
【００３３】
ファンモータ電流値取得部３３は、冷却ファン２２のファンモータ２２２の負荷電流の電流値を取得する。ファンモータ電流値取得部３３は、例えば、ファンモータ２２２の電源のＲ相、Ｓ相、Ｔ相について電流値を取得する。
【００３４】
ファンモータ温度取得部３４は、冷却ファン２２のファンモータ２２２の温度を取得する。ファンモータ温度取得部３４は、例えば、軸受の摩耗等により発生する摩擦熱について、熱電対ケーブル（図示せず）を用いて、ファンモータ２２２の表面温度を取得する。
外気温度取得部３５は、外気の温度を取得する。
【００３５】
異常検出部３６は、ポンプモータ電流値取得部３１からポンプモータ２１１の負荷電流の電流値を得る。また、異常検出部３６は、ポンプモータ温度取得部３２からポンプモータ２１１の温度を得る。また、異常検出部３６は、ファンモータ電流値取得部３３からファンモータ２２２の負荷電流の電流値を得る。そして、異常検出部３６は、ファンモータ温度取得部３４からファンモータ２２２の温度を得る。また、異常検出部３６は、外気温度取得部３５から外気の温度を得る。
【００３６】
異常検出部３６は、外気の温度に基づいて、ポンプモータ２１１を異常と判断する電流値のしきい値（以下、電流しきい値という）を補正する。また、異常検出部３６は、外気の温度に基づいて、ポンプモータ２１１及びファンモータ２２２を異常と判断する温度のしきい値（以下、温度しきい値という）を補正する。異常検出部３６は、取得した電流値のいずれかが所定の電流しきい値よりも高いか否かを比較して、ポンプモータ２１１及びファンモータ２２２の少なくとも一方の異常を検出する。また、異常検出部３６は、取得した温度（ポンプモータ２１１及びファンモータ２２２の温度）が所定の温度しきい値よりも高いか否かを比較して、ポンプモータ２１１及びファンモータ２２２の少なくとも一方の異常を検出する。この異常検出部３６は、しきい値格納部３６１と、しきい値補正部３６２と、ポンプモータ状態判定部３６３と、ファンモータ状態判定部３６４と、を備える。
【００３７】
しきい値格納部３６１は、いわゆるハードディスク等の補助記憶装置である。しきい値格納部３６１は、ポンプモータ２１１の負荷電流に関する電流値の電流しきい値を格納する。また、しきい値格納部３６１は、ポンプモータ２１１の温度に関する温度しきい値を格納する。また、しきい値格納部３６１は、ファンモータ２２２の負荷電流に関する電流値の電流しきい値を格納する。そして、しきい値格納部３６１は、ファンモータ２２２の温度に関する温度しきい値を格納する。しきい値格納部３６１は、例えば、基準の外気温度におけるポンプモータ２１１及びファンモータ２２２のそれぞれが正常に動作している場合の電流値に対して、異常を示す電流値をそれぞれの電流しきい値として格納する。また、しきい値格納部３６１は、例えば、基準の外気温度におけるポンプモータ２１１及びファンモータ２２２のそれぞれが正常に動作している場合の温度に対して、異常を示す温度をそれぞれの温度しきい値として格納する。
【００３８】
しきい値補正部３６２は、外気温度取得部３５から外気の温度を得る。また、しきい値補正部３６２は、しきい値格納部３６１からポンプモータ２１１の電流しきい値及び温度しきい値と、ファンモータ２２２の電流しきい値及び温度しきい値とを読み出す。しきい値補正部３６２は、ポンプモータ２１１及びファンモータ２２２のそれぞれの温度しきい値を外気の温度に基づいて補正する。しきい値補正部３６２は、例えば、外気の温度と基準の外気温度との差を温度しきい値に加えて、温度しきい値を補正する。また、しきい値補正部３６２は、ポンプモータ２１１の電流しきい値を外気の温度に基づいて補正する。しきい値補正部３６２は、例えば、外気の温度と基準の外気温度との差によって変化する絶縁油の粘度に基づいてポンプモータ２１１の負荷電流の電流しきい値を補正する。即ち、しきい値補正部３６２は、外気の温度が高く、絶縁油の粘度が下がる場合には、ポンプモータ２１１の電流しきい値を粘度の低下に基づいて下げる。一方、しきい値補正部３６２は、外気の温度が低く、絶縁油の粘度が上がる場合には、ポンプモータ２１１の電流しきい値を粘度の上昇に基づいて上げる。
【００３９】
ポンプモータ状態判定部３６３は、ポンプモータ電流値取得部３１からポンプモータ２１１の負荷電流の電流値を得る。また、ポンプモータ状態判定部３６３は、ポンプモータ温度取得部３２からポンプモータ２１１の温度を得る。そして、ポンプモータ状態判定部３６３は、しきい値補正部３６２からポンプモータ２１１の電流しきい値及び温度しきい値を得る。ポンプモータ状態判定部３６３は、ポンプモータ２１１の電流値とポンプモータ２１１の電流しきい値とを比較する。ポンプモータ状態判定部３６３は、比較の結果、ポンプモータ２１１の負荷電流の電流値が電流しきい値以上であるか否かを判定する。ポンプモータ状態判定部３６３は、ポンプモータ２１１の負荷電流の電流値が電流しきい値以上である場合に、ポンプモータ２１１の状態を異常有りと判定する。ポンプモータ状態判定部３６３は、ポンプモータ２１１に異常有りと判定した場合に、ポンプモータ２１１の異常を示す信号を出力する。
【００４０】
また、ポンプモータ状態判定部３６３は、ポンプモータ２１１の温度とポンプモータ２１１の温度しきい値とを比較する。ポンプモータ状態判定部３６３は、比較の結果、ポンプモータ２１１の温度が温度しきい値以上であるか否かを判定する。ポンプモータ状態判定部３６３は、ポンプモータ２１１の温度が温度しきい値以上である場合に、ポンプモータ２１１の状態を異常有りと判定する。ポンプモータ状態判定部３６３は、ポンプモータ２１１に異常有りと判定した場合に、ポンプモータ２１１の異常を示す信号を出力する。
【００４１】
ファンモータ状態判定部３６４は、ファンモータ電流値取得部３３からファンモータ２２２の負荷電流の電流値を得る。また、ファンモータ状態判定部３６４は、ファンモータ温度取得部３４からファンモータ２２２の温度を得る。そして、ファンモータ状態判定部３６４は、しきい値補正部３６２からファンモータ２２２の電流しきい値及び温度しきい値を得る。ファンモータ状態判定部３６４は、ファンモータ２２２の電流値とファンモータ２２２の電流しきい値とを比較する。ファンモータ状態判定部３６４は、比較の結果、ファンモータ２２２の電流値がファンモータ２２２の電流しきい値以上であるか否かを判定する。ファンモータ状態判定部３６４は、ファンモータ２２２の電流値がファンモータ２２２の電流しきい値以上である場合に、ファンモータ２２２に異常有りと判定する。ファンモータ状態判定部３６４は、ファンモータ２２２に異常有りと判定した場合に、ファンモータ２２２の異常を示す信号を出力する。
【００４２】
また、ファンモータ状態判定部３６４は、ファンモータ２２２の温度とファンモータ２２２の温度しきい値とを比較する。ファンモータ状態判定部３６４は、比較の結果、ファンモータ２２２の温度がファンモータ２２２の温度しきい値以上であるか否かを判定する。ファンモータ状態判定部３６４は、ファンモータ２２２の温度が温度しきい値以上である場合に、ファンモータ２２２に異常有りと判定する。ファンモータ状態判定部３６４は、ファンモータ２２２に異常有りと判定した場合に、ファンモータ２２２の異常を示す信号を出力する。
【００４３】
監視制御装置４０は、例えば、変圧装置１及び監視システム２とは遠方に設置される。具体的には、監視制御装置４０は、変圧装置１とは別の管理センタ等に設置される。監視制御装置４０は、異常検出部３６から送信される信号に基づいてポンプモータ２１１及びファンモータ２２２の少なくとも一方の異常を報知する。即ち、監視制御装置４０は、異常検出部３６から送信される、ポンプモータ２１１の異常を示す信号及びファンモータ２２２の異常を示す信号の少なくとも一方を得て、ポンプモータ２１１及びファンモータ２２２の少なくとも一方の異常を報知する。具体的には、監視制御装置４０は、ポンプモータ状態判定部３６３及びファンモータ状態判定部３６４の少なくとも一方から異常を示す信号を得て、ポンプモータ２１１及びファンモータ２２２の少なくとも一方の異常を報知する。
【００４４】
次に、監視装置３０及び監視システム２の動作について、図３のフローチャートを参照して説明する。
【００４５】
まず、ステップＳ１において、しきい値補正部３６２は、しきい値格納部３６１からポンプモータ２１１の電流しきい値及び温度しきい値と、ファンモータ２２２の電流しきい値及び温度しきい値とを読み出す。またしきい値補正部３６２は、外気温度取得部３５から外気の温度を得る。
【００４６】
次いで、ステップＳ２において、しきい値補正部３６２は、外気の温度に基づいてポンプモータ２１１の電流しきい値及び温度しきい値を補正する。また、しきい値補正部３６２は、外気の温度に基づいて、ファンモータ２２２の温度しきい値を補正する。しきい値補正部３６２は、ポンプモータ２１１の補正した電流しきい値及び温度しきい値をポンプモータ状態判定部３６３に送る。また、しきい値補正部３６２は、しきい値格納部３６１から読み出したファンモータ２２２の電流しきい値と、補正したファンモータ２２２の温度しきい値とをファンモータ状態判定部３６４に送る。
【００４７】
次いで、ステップＳ３において、ファンモータ状態判定部３６４は、ファンモータ電流値取得部３３からファンモータ２２２の電流値を得る。また、ステップＳ４において、ファンモータ状態判定部３６４は、ファンモータ温度取得部３４からファンモータ２２２の温度を得る。
【００４８】
次いで、ステップＳ５において、ファンモータ状態判定部３６４は、ファンモータ２２２の負荷電流の電流値と電流しきい値とを比較する。また、ファンモータ状態判定部３６４は、ファンモータ２２２の温度と温度しきい値とを比較する。
【００４９】
ステップＳ６において、ファンモータ状態判定部３６４がファンモータ２２２に異常を検出した場合、ステップＳ１１に進む。一方、ファンモータ状態判定部３６４がファンモータ２２２に異常を検出しなかった場合、ステップＳ７に進む。
【００５０】
ステップＳ７において、ポンプモータ状態判定部３６３は、ポンプモータ電流値取得部３１からポンプモータ２１１の電流値を得る。また、ポンプモータ状態判定部３６３は、しきい値補正部３６２からポンプモータ２１１の補正された電流しきい値を得る。
【００５１】
次いで、ステップＳ８において、ポンプモータ状態判定部３６３は、ポンプモータ温度取得部３２からポンプモータ２１１の温度を得る。また、ポンプモータ状態判定部３６３は、しきい値補正部３６２からポンプモータ２１１の補正された温度しきい値を得る。
【００５２】
次いで、ステップＳ９において、ポンプモータ状態判定部３６３は、ポンプモータ２１１の負荷電流の電流値と電流しきい値とを比較する。また、ポンプモータ状態判定部３６３は、ポンプモータ２１１の温度と温度しきい値とを比較する。
【００５３】
ステップＳ１０において、ポンプモータ状態判定部３６３がポンプモータ２１１に異常を検出した場合、ステップＳ１１に進む。一方、ポンプモータ状態判定部３６３がポンプモータ２１１に異常を検出しなかった場合、ステップＳ１に戻る。
【００５４】
ステップＳ１１において、監視制御装置４０は、ファンモータ状態判定部３６４及びポンプモータ状態判定部３６３から異常を示す信号を得る。監視制御装置４０は、ファンモータ状態判定部３６４及びポンプモータ状態判定部３６３から得た異常を示す信号に基づいて、異常を報知する。監視制御装置４０は、例えば、ファンモータ状態判定部３６４から異常を示す信号を得た異常を示す信号に基づいて、ファンモータ２２２の異常を報知する。また、監視制御装置４０は、例えば、ポンプモータ状態判定部３６３から得た異常を示す信号に基づいて、ポンプモータ２１１の異常を報知する。
【００５５】
以上の監視装置３０及び監視制御装置４０によれば、以下の効果を奏する。
（１）監視装置３０を、送油ポンプ２１のポンプモータ２１１の負荷電流の電流値を取得するポンプモータ電流値取得部３１と、冷却ファン２２のファンモータ２２２の負荷電流の電流値を取得するファンモータ電流値取得部３３と、取得した電流値のそれぞれが所定の電流しきい値よりも高いか否かを比較して、ポンプモータ２１１及びファンモータ２２２の少なくとも一方の異常を検出する異常検出部３６と、を含み構成した。これにより、冷却部２０であるポンプモータ２１１及びファンモータ２２２の過電流を検出するよりも前に、ポンプモータ２１１及びファンモータ２２２の異常を早期に検出することができる。従って、例えば、ファン本体２２１のフィンにゴミが詰まっている場合等、軸受の異常以外の異常についても早期に検出することができ、冷却部２０の故障を未然に抑制することができる。冷却部２０の故障を未然に抑制することで、変圧装置１を予定外に停止することを抑制できる。また、冷却部２０の異常が予め判明することで、交換部品の手配や交換の時期等、予め計画できるので、急な停電による影響を減少させることができる。
【００５６】
（２）また、異常検出部３６を、ポンプモータ２１１の負荷電流と所定の電流しきい値とを比較して、ポンプモータ２１１の状態を判定するポンプモータ状態判定部３６３と、ファンモータ２２２の負荷電流と所定の電流しきい値とを比較して、ファンモータ２２２の状態を判定するファンモータ状態判定部３６４と、を含み構成した。これにより、ファンモータ２２２の状態とポンプモータ２１１の状態とを別々に判定できるので、ポンプモータ２１１及びファンモータ２２２のいずれに異常が発生しているかを別々に出力することができる。従って、ポンプモータ２１１及びファンモータ２２２のいずれに対して対策すべきかを容易に判断することができる。
【００５７】
（３）ポンプモータ状態判定部３６３が、ポンプモータ２１１の状態を異常有りと判定した場合に、ポンプモータ２１１の異常を示す信号を出力し、ファンモータ状態判定部３６４が、ファンモータ２２２の状態を異常有りと判定した場合に、ファンモータ２２２の異常を示す信号を出力するようにした。これにより、ポンプモータ２１１及びファンモータ２２２の異常を示す信号を外部に出力することができる。従って、ポンプモータ２１１及びファンモータ２２２に異常が発生したことをすぐに判断することができる。
【００５８】
（４）監視装置３０を更に、外気の温度を取得する外気温度取得部３５を含み構成した。また、異常検出部３６を更に、外気温度に基づいて所定の電流しきい値を補正するしきい値補正部３６２を含み構成した。これにより、ポンプモータ２１１の電流しきい値を外気の温度によって補正することができるので、温度によって変化する絶縁油の粘度に応じて異常の検出具合を変化させることができ、柔軟性に富んだ装置を提供することができる。
【００５９】
（５）監視装置３０を更に、ポンプモータ２１１の温度を取得するポンプモータ温度取得部３２と、ファンモータ２２２の温度を取得するファンモータ温度取得部３４と、を含み構成した。また、異常検出部３６を、取得した温度のそれぞれが所定の温度しきい値以上か否かを比較して、ポンプモータ２１１及びファンモータ２２２の少なくとも一方の異常を検出するようにした。これにより、更に温度を加味してポンプモータ２１１及びファンモータ２２２の異常を検出することができるので、より確実にポンプモータ２１１及びファンモータ２２２の異常を検出することができる。
【００６０】
（６）異常検出部３６を、ポンプモータ２１１の温度と所定の温度しきい値とを比較してポンプモータ２１１の状態を判定するポンプモータ状態判定部３６３と、ファンモータ２２２の温度と所定の温度しきい値とを比較してファンモータ２２２の状態を判定するファンモータ状態判定部３６４と、を含み構成した。これにより、ファンモータ２２２の状態とポンプモータ２１１の状態とを別々に判定できるので、ポンプモータ２１１及びファンモータ２２２のいずれに異常が発生しているかを別々に出力することができる。従って、ポンプモータ２１１及びファンモータ２２２のいずれに対して対策すべきかを容易に判断することができる。
（７）監視装置３０を更に、外気の温度を取得する外気温度取得部３５を含み構成し、異常検出部３６を更に、外気温度に基づいて所定の温度しきい値を補正するしきい値補正部３６２を含み構成した。これにより、ポンプモータ２１１及びファンモータ２２２の温度しきい値を外気の温度に基づいて補正することができる。即ち、季節や天候によって変化する停止状態のポンプモータ２１１及びファンモータ２２２の温度に対して、温度上昇がどの程度であるのかに基づいてポンプモータ２１１及びファンモータ２２２の異常を検出することができる。従って、柔軟性に富んだ装置を提供することができる。
（８）監視システム２を、上記監視装置３０と、監視装置３０から出力された異常を示す信号に基づいてポンプモータ２１１又はファンモータ２２２の異常を報知する監視制御装置４０と、を含み構成した。これにより、外部において冷却部２０の異常を監視することができるので、冷却部２０の監視を容易にすることができる。
【００６１】
以上、本発明の監視装置及び監視システムの好ましい各実施形態につき説明したが、本発明は、上述の実施形態に制限されるものではなく、適宜変更が可能である。
【００６２】
例えば、上記実施形態において、監視装置３０は、ポンプモータ２１１の負荷電流の電流値及び温度と、ファンモータ２２２の負荷電流の電流値及び温度とを用いてポンプモータ２１１及びファンモータ２２２の異常を検出するようにしたが、これに制限されない。例えば、監視装置３０は、ポンプモータ２１１の負荷電流の電流値と、ファンモータ２２２の負荷電流の電流値とのみを用いてポンプモータ２１１及びファンモータ２２２の異常を検出してもよい。
【００６３】
また、上記実施形態において、変圧装置１として移動用変圧器を例示したが、これに制限されない。即ち、屋内変電所等、冷却部２０を備える変圧装置１であれば監視装置３０及び監視システム２を用いることができる。
【００６４】
また、上記実施形態において、ポンプモータ状態判定部３６３及びファンモータ状態判定部３６４は、負荷電流の電流値及び温度に異常が検出された場合に、異常を示す信号を出力するようにしたが、これに制限されない。例えば、ポンプモータ状態判定部３６３及びファンモータ状態判定部３６４は、負荷電流の電流値及び温度のいずれに異常があったかを示す信号を出力するようにしてもよい。
【００６５】
また、上記実施形態において、ポンプモータ状態判定部３６３及びファンモータ状態判定部３６４は、異常を示す信号に、冷却部２０を識別する信号を含めてもよい。これにより、監視制御装置４０は、いずれのポンプモータ２１１及びファンモータ２２２に異常が検出されたかについても報知することができる。
【符号の説明】
【００６６】
２  監視システム
１０  変圧器本体
２０  冷却部
２１  送油ポンプ
２２  冷却ファン
３０  監視装置
３１  ポンプモータ電流値取得部
３２  ポンプモータ温度取得部
３３  ファンモータ電流値取得部
３４  ファンモータ温度取得部
３５  外気温度取得部
３６  異常検出部
４０  監視制御装置
２１１  ポンプモータ
２２２  ファンモータ
３６２  しきい値補正部
３６３  ポンプモータ状態判定部
３６４  ファンモータ状態判定部
【図１】
2019054057.tif 000003
【図２】
2019054057.tif 000004
【図３】
2019054057.tif 000005